【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
眼内レンズ導入装置の一部分に眼内レンズを包装する方法であって、
ａ）遠位ノズル部を設ける工程と、
ｂ）シャトルを設け、該シャトルの中に前記眼内レンズを配置する工程と、
ｃ）カバーを有するバイアルを設ける工程と、
ｄ）前記シャトルを前記カバーに取り外し可能に接続し、前記眼内レンズが入った前記シャトルを前記バイアル内に密封する工程と
を備えることを特徴とする方法。
【請求項２】
ａ）近位本体部と、該近位本体部に滑動可能に受容されるプランジャとを設ける工程と、
ｂ）前記バイアルを開き、該バイアルから前記カバー及び前記シャトルを一緒に取り出す工程と、
ｃ）前記カバーを保持しながら、前記シャトルを前記近位本体部に取り付ける工程と、
ｄ）前記シャトルから前記カバーを取り外す工程と、
ｅ）前記遠位ノズル部を前記近位本体部に取り付ける工程と
を更に備えることを特徴とする請求項１記載の方法。
【請求項３】
ａ）近位本体部と、該近位本体部に滑動可能に受容されるプランジャとを設ける工程と、
ｂ）前記バイアルを開き、該バイアルから前記カバー及びシャトルを一緒に取り出す工程と、
ｃ）前記カバーを保持しながら、前記シャトルを前記ノズル部に取り付ける工程と、
ｄ）前記シャトルから前記カバーを取り外す工程と、
ｅ）前記遠位ノズル部を前記シャトルと共に前記近位本体部に取り付ける工程と、
を更に備えることを特徴とする請求項１記載の方法。
【請求項４】
眼内レンズ導入装置の一部分に眼内レンズを包装する方法であって、
ａ）遠位ノズル部を設ける工程と、
ｂ）シャトルを設け、該シャトルの中に前記眼内レンズを配置し、該シャトルを前記遠位ノズル部に取り付ける工程と、
ｃ）カバーを有するバイアルを設ける工程と、
ｄ）前記遠位ノズル部を前記カバーに取り外し可能に接続し、前記ノズル部、前記シャトル及び該シャトル内の前記眼内レンズを前記バイアル内に密封する工程と
を備えることを特徴とする方法。
【請求項５】
ａ）近位本体部と、該近位本体部に滑動可能に受容されるプランジャとを設ける工程と、
ｂ）前記バイアルを開き、該バイアルから前記カバー、前記ノズル部及び前記シャトルを一緒に取り出す工程と、
ｃ）前記カバーを保持しながら、前記ノズル部を前記近位本体部に取り付ける工程と、
ｄ）前記カバーを前記ノズル部から取り外す工程と
を更に備えることを特徴とする請求項４記載の方法。
【請求項６】
導入装置を包装し、その後、該導入装置を用いる準備をする方法であって、前記導入装置が該導入装置の一部に眼内レンズを受容、格納、及び輸送するよう構成されると共に、保存状態から導入状態に構成変更可能であり、前記方法が、
ａ）縦通路を有する近位本体部を設ける工程と、
ｂ）縦通路を有する遠位ノズル部を設ける工程と、
ｃ）縦通路を有するシャトルを設け、該シャトル内に眼内レンズを配置する工程と、
ｄ）バイアルの開放端を密封するためのカバーを有する前記バイアルを設け、前記バイアルカバーを前記シャトルに取り外し可能に接続し、或る量の保存液が入った前記バイアル内に前記シャトル及び前記眼内レンズを一緒に密封する工程と
を備え、
前記導入装置が前記保存状態である時には、前記シャトル及び前記眼内レンズが前記バイアルの液の中に配置されて密封され、
前記導入装置を前記保存状態から前記導入状態に構成変更することが、
ｅ）前記バイアルカバー及び前記シャトルを一緒に前記バイアルから取り出す工程と、
ｆ）前記カバーを保持し、前記シャトルを前記近位本体部に取り付ける工程と、
ｇ）前記バイアルカバーを前記シャトルから取り外す工程と、
ｈ）前記ノズル部を前記近位本体部に取り付ける工程と
を備えることを特徴とする方法。
【請求項７】
前記近位本体部及び前記遠位ノズル部が同軸上に取り付けられ、
前記遠位ノズル部が、前記近位本体部とは反対側の端部に、送出され得る前記眼内レンズが通る遠位先端部を含み、
前記方法が、前記導入装置を用いる工程を更に備え、
前記導入装置を用いる前記工程が、
前記近位本体部及び前記遠位ノズル部内にプランジャを入れ子式に設ける工程と、
前記プランジャが前記遠位ノズル部を完全に通るよう前記プランジャを進めることにより、前記遠位先端部から前記眼内レンズを送出する工程と
を備えることを特徴とする請求項６記載の方法。
【請求項８】
前記近位本体部及び前記遠位ノズル部を前記バイアルとは別に包装する工程を更に備えることを特徴とする請求項７記載の方法。
【請求項９】
前記シャトル及び前記眼内レンズが前記バイアル内に密封されたら、前記シャトル及び前記眼内レンズを滅菌する工程を更に備えることを特徴とする請求項１記載の方法。
【請求項１０】
前記滅菌工程が蒸気滅菌であることを特徴とする請求項９記載の方法。
【請求項１１】
前記シャトルが前記近位本体部にスナップ式に嵌ることを特徴とする請求項１記載の方法。
【請求項１２】
前記近位本体部及び前記遠位ノズル部が互いにスナップ式に嵌ることを特徴とする請求項１記載の方法。
【請求項１３】
導入装置を用いる準備をする方法であって、
ａ）縦通路を有する近位本体部を設ける工程と、
ｂ）縦通路を有する遠位ノズル部を設ける工程と、
ｃ）縦通路を有するシャトルであって、該シャトル内に眼内レンズが配置されたシャトルを設ける工程と、
ｄ）バイアルの開放端を密封するためのカバーを有する前記バイアルを設け、前記カバーを前記シャトルに取り外し可能に接続し、前記シャトル及び前記眼内レンズが前記バイアル内に密封されるよう前記カバーを配置する工程と、
ｅ）前記カバーを用いて前記シャトルを前記バイアルから取り出す工程と、
ｆ）前記カバーを用いて前記シャトルを前記近位本体部又は前記遠位ノズル部に取り付ける工程と、
ｇ）前記バイアルカバーを前記シャトルから取り外す工程と
を備えることを特徴とする方法。
【請求項１４】
前記ノズル部を前記近位本体部に取り付ける工程を更に備えることを特徴とする請求項１３記載の方法。
【請求項１５】
縦通路を有する近位本体部と、
縦通路を有する遠位ノズル部と、
縦通路を有するシャトルであって、該シャトル内に眼内レンズが配置されたシャトルと、
バイアルの開放端を密封するためのカバーを有する前記バイアルであって、前記カバーが前記シャトルに取り外し可能に接続され、前記シャトル及び前記眼内レンズが前記バイアル内に密封されるよう前記カバーが配置される前記バイアルと、
を備える眼内レンズ導入装置であって、
前記カバーを用いて前記シャトルが前記バイアルから取り出され、
前記カバーを用いて前記シャトルが前記近位本体部又は前記遠位ノズル部に取り付けられ、
前記バイアルカバーが前記シャトルから取り外されるように構成されたことを特徴とする眼内レンズ導入装置。
【請求項１６】
前記ノズル部が前記近位本体部に取り付けられることを特徴とする請求項１５記載の眼内レンズ導入装置。
【請求項１７】
開放端を密封するカバーを有するバイアルであって、該カバーがシャトルに取り外し可能に接続され、前記シャトルが該シャトル内に位置する縦通路および眼内レンズを有し、前記カバーが前記シャトルおよび前記眼内レンズを前記バイアル中に密封するように配置され、前記シャトルが前記カバーを使用して前記バイアルから取り外し可能であることを特徴とするバイアル。
【請求項１８】
前記シャトルが、前記カバーを使用して導入装置の近位本体部または遠位ノズルに接続可能であることを特徴とする請求項１６記載のバイアル。
【請求項１９】
前記シャトルが前記近位本体部または前記遠位ノズルにスナップ式に嵌るよう適合されることを特徴とする請求項１７記載のバイアル。
【請求項２０】
前記シャトルが応力がかからない状態で前記シャトル中に配置されることを特徴とする請求項１６記載のバイアル。